【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
被写体を撮影して画像信号を出力する撮像手段と、
前記撮像手段から得られる画像信号に基づいて撮影画面内の特定の被写体を検出する被写体検出手段と、
前記被写体検出手段により前記被写体が検出された場合に、前記被写体の領域と、該被写体の領域を含む領域とを複数の焦点検出領域として設定し、前記被写体検出手段により被写体が検出されなかった場合に、予め設定された固定領域と、該固定領域を含む領域とを複数の焦点検出領域として設定する設定手段と、
前記設定手段により設定された前記複数の焦点検出領域の画像信号から、前記複数の焦点検出領域各々の焦点信号を生成する生成手段と、
前記生成手段により生成された前記複数の焦点信号を合成するための加算比率を決定する決定手段と、
前記決定手段により決定された加算比率に基づいて、前記複数の焦点信号を合成する合成手段と、
前記合成手段により合成された焦点信号に基づいて焦点調節部材を移動して焦点調節制御を行う焦点調節手段と
を有し、
前記決定手段は、前記固定領域の焦点信号に対する該固定領域を含む領域の焦点信号の加算比率を、前記被写体の領域の焦点信号に対する前記被写体の領域を含む領域の焦点信号の加算比率よりも大きくすることを特徴とする焦点調節装置。
【請求項２】
被写体を撮影して画像信号を出力する撮像手段と、
前記撮像手段から得られる画像信号に基づいて撮影画面内の特定の被写体を検出する被写体検出手段と、
前記被写体検出手段により前記被写体が検出された場合に、前記被写体の領域と、該被写体の領域を含む領域と、該領域と異なると共に前記被写体の領域と同じ重心を有する領域とを複数の焦点検出領域として設定し、前記被写体検出手段により被写体が検出されなかった場合に、予め設定された固定領域と、該固定領域を含む領域と、該領域と異なると共に前記固定領域と同じ重心を有する領域とを複数の焦点検出領域として設定する設定手段と、
前記設定手段により設定された前記複数の焦点検出領域の画像信号から、前記複数の焦点検出領域各々の焦点信号を生成する生成手段と、
前記生成手段により生成された前記複数の焦点信号を合成するための加算比率を決定する決定手段と、
前記決定手段により決定された加算比率に基づいて、前記複数の焦点信号を合成する合成手段と、
前記合成手段により合成された焦点信号に基づいて焦点調節部材を移動して焦点調節制御を行う焦点調節手段と
を有し、
前記決定手段は、前記固定領域の焦点信号に対する該固定領域を含む領域の焦点信号の加算比率を、前記被写体の領域の焦点信号に対する前記被写体の領域を含む領域の焦点信号の加算比率よりも大きくし、前記固定領域の焦点信号に対する該固定領域と同じ重心を有する領域の焦点信号の加算比率を、前記被写体の領域の焦点信号に対する前記被写体と同じ重心を有する領域の焦点信号の加算比率よりも小さくすることを特徴とする焦点調節装置。
【請求項３】
撮像手段が、被写体を撮影して画像信号を出力する撮像工程と、
被写体検出手段が、前記撮像工程で得られる画像信号に基づいて撮影画面内の特定の被写体を検出する被写体検出工程と、
設定手段が、前記被写体検出工程で前記被写体が検出された場合に、前記被写体の領域と、該被写体の領域を含む領域とを複数の焦点検出領域として設定し、前記被写体検出工程により被写体が検出されなかった場合に、予め設定された固定領域と、該固定領域を含む領域とを複数の焦点検出領域として設定する設定工程と、
生成手段が、前記設定工程により設定された前記複数の焦点検出領域の画像信号から、前記複数の焦点検出領域各々の焦点信号を生成する生成工程と、
決定手段が、前記生成工程により生成された前記複数の焦点信号を合成するための加算比率を決定する決定工程と、
合成手段が、前記決定工程により決定された加算比率に基づいて、前記複数の焦点信号を合成する合成工程と、
焦点調節手段が、前記合成工程により合成された焦点信号に基づいて焦点調節部材を移動して焦点調節制御を行う焦点調節工程と
を有し、
前記決定工程では、前記固定領域の焦点信号に対する該固定領域を含む領域の焦点信号の加算比率を、前記被写体の領域の焦点信号に対する前記被写体の領域を含む領域の焦点信号の加算比率よりも大きくすることを特徴とする焦点調節方法。
【請求項４】
撮像手段が、被写体を撮影して画像信号を出力する撮像工程と、
被写体検出手段が、前記撮像工程で得られる画像信号に基づいて撮影画面内の特定の被写体を検出する被写体検出工程と、
設定手段が、前記被写体検出工程により前記被写体が検出された場合に、前記被写体の領域と、該被写体の領域を含む領域と、該領域と異なると共に前記被写体の領域と同じ重心を有する領域とを複数の焦点検出領域として設定し、前記被写体検出工程により被写体が検出されなかった場合に、予め設定された固定領域と、該固定領域を含む領域と、該領域と異なると共に前記固定領域と同じ重心を有する領域とを複数の焦点検出領域として設定する設定工程と、
生成手段が、前記設定工程により設定された前記複数の焦点検出領域の画像信号から、前記複数の焦点検出領域各々の焦点信号を生成する生成工程と、
決定手段が、前記生成工程により生成された前記複数の焦点信号を合成するための加算比率を決定する決定工程と、
合成手段が、前記決定工程により決定された加算比率に基づいて、前記複数の焦点信号を合成する合成工程と、
焦点調節手段が、前記合成工程により合成された焦点信号に基づいて焦点調節部材を移動して焦点調節制御を行う焦点調節工程と
を有し、
前記決定工程では、前記固定領域の焦点信号に対する該固定領域を含む領域の焦点信号の加算比率を、前記被写体の領域の焦点信号に対する前記被写体の領域を含む領域の焦点信号の加算比率よりも大きくし、前記固定領域の焦点信号に対する該固定領域と同じ重心を有する領域の焦点信号の加算比率を、前記被写体の領域の焦点信号に対する前記被写体と同じ重心を有する領域の焦点信号の加算比率よりも小さくすることを特徴とする焦点調節方法。
【請求項５】
コンピュータに、請求項３または４に記載の焦点調節方法の各工程を実行させるためのプログラム。
【請求項６】
請求項５に記載のプログラムを格納したことを特徴とするコンピュータが読み取り可能な記憶媒体。
【手続補正２】
【補正対象書類名】明細書
【補正対象項目名】０００７
【補正方法】変更
【補正の内容】
【０００７】
上記目的を達成するために、本発明の焦点調節装置は、被写体を撮影して画像信号を出力する撮像手段と、前記撮像手段から得られる画像信号に基づいて撮影画面内の特定の被写体を検出する被写体検出手段と、前記被写体検出手段により前記被写体が検出された場合に、前記被写体の領域と、該被写体の領域を含む領域とを複数の焦点検出領域として設定し、前記被写体検出手段により被写体が検出されなかった場合に、予め設定された固定領域と、該固定領域を含む領域とを複数の焦点検出領域として設定する設定手段と、前記設定手段により設定された前記複数の焦点検出領域の画像信号から、前記複数の焦点検出領域各々の焦点信号を生成する生成手段と、前記生成手段により生成された前記複数の焦点信号を合成するための加算比率を決定する決定手段と、前記決定手段により決定された加算比率に基づいて、前記複数の焦点信号を合成する合成手段と、前記合成手段により合成された焦点信号に基づいて焦点調節部材を移動して焦点調節制御を行う焦点調節手段とを有し、前記決定手段は、前記固定領域の焦点信号に対する該固定領域を含む領域の焦点信号の加算比率を、前記被写体の領域の焦点信号に対する前記被写体の領域を含む領域の焦点信号の加算比率よりも大きくする。
【手続補正３】
【補正対象書類名】明細書
【補正対象項目名】０００８
【補正方法】変更
【補正の内容】
【０００８】
また、本発明の焦点調節方法は、撮像手段が、被写体を撮影して画像信号を出力する撮像工程と、被写体検出手段が、前記撮像工程で得られる画像信号に基づいて撮影画面内の特定の被写体を検出する被写体検出工程と、設定手段が、前記被写体検出工程で前記被写体が検出された場合に、前記被写体の領域と、該被写体の領域を含む領域とを複数の焦点検出領域として設定し、前記被写体検出工程により被写体が検出されなかった場合に、予め設定された固定領域と、該固定領域を含む領域とを複数の焦点検出領域として設定する設定工程と、生成手段が、前記設定工程により設定された前記複数の焦点検出領域の画像信号から、前記複数の焦点検出領域各々の焦点信号を生成する生成工程と、決定手段が、前記生成工程により生成された前記複数の焦点信号を合成するための加算比率を決定する決定工程と、合成手段が、前記決定工程により決定された加算比率に基づいて、前記複数の焦点信号を合成する合成工程と、焦点調節手段が、前記合成工程により合成された焦点信号に基づいて焦点調節部材を移動して焦点調節制御を行う焦点調節工程とを有し、前記決定工程では、前記固定領域の焦点信号に対する該固定領域を含む領域の焦点信号の加算比率を、前記被写体の領域の焦点信号に対する前記被写体の領域を含む領域の焦点信号の加算比率よりも大きくする。
【手続補正４】
【補正対象書類名】明細書
【補正対象項目名】０００９
【補正方法】変更
【補正の内容】
【０００９】
また、別の一様態によれば、本発明の焦点調節装置は、被写体を撮影して画像信号を出力する撮像手段と、前記撮像手段から得られる画像信号に基づいて撮影画面内の特定の被写体を検出する被写体検出手段と、前記被写体検出手段により前記被写体が検出された場合に、前記被写体の領域と、該被写体の領域を含む領域と、該領域と異なると共に前記被写体の領域と同じ重心を有する領域とを複数の焦点検出領域として設定し、前記被写体検出手段により被写体が検出されなかった場合に、予め設定された固定領域と、該固定領域を含む領域と、該領域と異なると共に前記固定領域と同じ重心を有する領域とを複数の焦点検出領域として設定する設定手段と、前記設定手段により設定された前記複数の焦点検出領域の画像信号から、前記複数の焦点検出領域各々の焦点信号を生成する生成手段と、前記生成手段により生成された前記複数の焦点信号を合成するための加算比率を決定する決定手段と、前記決定手段により決定された加算比率に基づいて、前記複数の焦点信号を合成する合成手段と、前記合成手段により合成された焦点信号に基づいて焦点調節部材を移動して焦点調節制御を行う焦点調節手段とを有し、前記決定手段は、前記固定領域の焦点信号に対する該固定領域を含む領域の焦点信号の加算比率を、前記被写体の領域の焦点信号に対する前記被写体の領域を含む領域の焦点信号の加算比率よりも大きくし、前記固定領域の焦点信号に対する該固定領域と同じ重心を有する領域の焦点信号の加算比率を、前記被写体の領域の焦点信号に対する前記被写体と同じ重心を有する領域の焦点信号の加算比率よりも小さくする。
【手続補正５】
【補正対象書類名】明細書
【補正対象項目名】００１０
【補正方法】変更
【補正の内容】
【００１０】
また、本発明の焦点調節方法は、撮像手段が、被写体を撮影して画像信号を出力する撮像工程と、被写体検出手段が、前記撮像工程で得られる画像信号に基づいて撮影画面内の特定の被写体を検出する被写体検出工程と、設定手段が、前記被写体検出工程により前記被写体が検出された場合に、前記被写体の領域と、該被写体の領域を含む領域と、該領域と異なると共に前記被写体の領域と同じ重心を有する領域とを複数の焦点検出領域として設定し、前記被写体検出工程により被写体が検出されなかった場合に、予め設定された固定領域と、該固定領域を含む領域と、該領域と異なると共に前記固定領域と同じ重心を有する領域とを複数の焦点検出領域として設定する設定工程と、生成手段が、前記設定工程により設定された前記複数の焦点検出領域の画像信号から、前記複数の焦点検出領域各々の焦点信号を生成する生成工程と、決定手段が、前記生成工程により生成された前記複数の焦点信号を合成するための加算比率を決定する決定工程と、合成手段が、前記決定工程により決定された加算比率に基づいて、前記複数の焦点信号を合成する合成工程と、焦点調節手段が、前記合成工程により合成された焦点信号に基づいて焦点調節部材を移動して焦点調節制御を行う焦点調節工程とを有し、前記決定工程では、前記固定領域の焦点信号に対する該固定領域を含む領域の焦点信号の加算比率を、前記被写体の領域の焦点信号に対する前記被写体の領域を含む領域の焦点信号の加算比率よりも大きくし、前記固定領域の焦点信号に対する該固定領域と同じ重心を有する領域の焦点信号の加算比率を、前記被写体の領域の焦点信号に対する前記被写体と同じ重心を有する領域の焦点信号の加算比率よりも小さくする。